(57)【要約】【課題】無線綴じによる本文の背を糊で強固に接着する。【解決手段】接着剤を液状の皮膜９として基盤８上に塗布し、用紙２を積み重ねてクランプしてなる本文１をその背が基盤８に正対するように、基盤８に対し相対的に複数回接近離反動作させ、この接近離反動作を繰り返す都度上記背を上記皮膜９に押し付ける。これにより、接着剤を厚い用紙間に侵入させることができる。【選択図】図４
2011126020.tif 000002
【特許請求の範囲】
【請求項１】
接着剤を基盤上に設け、用紙を積み重ねてクランプしてなる本文をその背が基盤に正対するように、基盤に対し相対的に複数回接近離反動作させ、この接近離反動作を繰り返す都度上記背を上記接着剤に押し付けることを特徴とする糊付け方法。
【請求項２】
請求項１に記載の糊付け方法において、上記基盤を加熱することによりホットメルト接着剤を基盤上で溶かして皮膜にすることを特徴とする糊付け方法。
【請求項３】
請求項１に記載の糊付け方法において、上記本文を上記基盤に対し基盤の延び方向に相対的にずらしながら、上記接近離反動作を反復させることを特徴とする糊付け方法。
【請求項４】
請求項１に記載の糊付け方法において、上記本文を上記基盤の上方の定位置にセットしたうえで、上記接近離反動作を反復させることを特徴とする糊付け方法。
【請求項５】
接着剤が設けられる基盤と、用紙を積み重ねてクランプしてなる本文をその背が基盤に正対するように、基盤に対し相対的に複数回接近離反動作させる接近離反手段とを具備し、この接近離反手段によって接近離反動作が繰り返される都度上記本文の背が上記接着剤に押し付けられるようにしたことを特徴とする糊付け装置。
【請求項６】
請求項５に記載の糊付け装置において、上記基盤にヒータが取付けられていることを特徴とする糊付け装置。
【発明の詳細な説明】
【技術分野】
【０００１】
本発明は、アルバム等の冊子における本文の背に糊付けする方法及び装置に関する。
【背景技術】
【０００２】
近年、フォトブックと呼ばれる写真集が個人向けに製本され販売されている。このフォトブックは、陰画が焼き付けられた印画紙や、写真が昇華転写、インクジェット等によってプリントされた印刷紙等の用紙が、複数枚重ね合わされて本文とされ、この本文に必要に応じて表紙が重ねられ、本文と表紙とが各種の手法によって綴じられることによって作られる。
【０００３】
用紙の綴じ方式としては、リング綴、綴じ具による中綴又は平綴、接着剤による無線綴等が適宜採用される。
【０００４】
リング綴じ式は、上記用紙を積み重ねてなる本文を表紙の用紙で挟んでそれらの背に穿孔し、穿設した多数の小孔に螺旋状のリングや環状のリングを通すことによって行われ、綴じ具による中綴式又は平綴式は、本文を表紙で挟んでそれらの背に金属製の針を突き刺すことによって行われ、無線綴式は、本文の背に糊車やダイコートなどで接着剤を塗布し（例えば、特許文献１参照。）、しかる後本文に表紙を貼り合せることによって行われる。
【先行技術文献】
【特許文献】
【０００５】
【特許文献１】特開平１１−２１００７号公報
【発明の概要】
【発明が解決しようとする課題】
【０００６】
無線綴式の製本によってフォトブックを作る場合、印画紙、印刷紙等の用紙が比較的厚いため、接着剤が本文の背の端面にしか付着しなくなる。そのため、フォトブック等を無線綴じする場合は接着強度を保ち難いという問題がある。また、用紙として表裏が樹脂等でコーティングされたものを用いる場合は、さらに接着剤が付着し難くなるので、接着強度がさらに低下して製本後にページが分離しやすくなるという問題がある。
【０００７】
従って、本発明は、厚い用紙、表面に樹脂コーティングされた用紙等を無線綴じする場合であっても強い綴じ力を得ることができる糊付け方法及び装置を提供することを目的とする。
【課題を解決するための手段】
【０００８】
上記課題を解決するため、本発明は次のような構成を採用する。
【０００９】
なお、本発明の理解を容易にするため図面の参照符号を括弧書きで付するが、本発明はこれに限定されるものではない。
【００１０】
請求項１に係る発明は、接着剤を基盤（８）上に設け、用紙（２）を積み重ねてクランプしてなる本文（１）をその背が基盤（８）に正対するように、基盤（８）に対し相対的に複数回接近離反動作させ、この接近離反動作を繰り返す都度上記背を上記接着剤に押し付ける糊付け方法を採用する。
【００１１】
請求項２に記載されるように、請求項１に記載の糊付け方法において、上記基盤（８）を加熱することによりホットメルト接着剤を基盤（８）上で溶かして皮膜（９）にするようにしてもよい。
【００１２】
請求項３に記載されるように、請求項１に記載の糊付け方法において、上記本文（１）を上記基盤（８）に対し基盤（８）の延び方向に相対的にずらしながら、上記接近離反動作を反復させるようにしてもよい。
【００１３】
請求項４に記載されるように、請求項１に記載の糊付け方法において、上記本文（１）を上記基盤（８）の上方の定位置にセットしたうえで、上記接近離反動作を反復させるようにしてもよい。
【００１４】
請求項５に係る発明は、接着剤が設けられる基盤（８）と、用紙（２）を積み重ねてクランプしてなる本文（１）をその背が基盤（８）に正対するように、基盤（８）に対し相対的に複数回接近離反動作させる接近離反手段（１７）とを具備し、この接近離反手段（１７）によって接近離反動作が繰り返される都度上記本文（１）の背が上記接着剤（９）に押し付けられるようにした糊付け装置を採用する。
【００１５】
請求項６に記載されるように、請求項５に記載の糊付け装置において、上記基盤（８）にヒータが取付けられたものとすることができる。
【発明の効果】
【００１６】
本発明に係る糊付け方法によれば、本文を無線綴じする際に接着剤を本文の背の端面から用紙間に至るまで確実に含浸させることができるので、用紙が厚手のものであったり表面に樹脂コートがなされているものであったりしても、本文の背を強固に接合し、耐久性に優れた本文を得ることができる。
【図面の簡単な説明】
【００１７】
【図１】本発明に係る糊付け方法及び装置によって糊付けされた本文の斜視図である。
【図２】本文を表紙で包んでなるフォトブックの斜視図である。
【図３】糊付けの直前の工程を示し、（Ａ）は本文をクランプした状態を示す斜視図、（Ｂ）は基盤上にホットメルト接着剤を塗布した状態を示す斜視図である。
【図４】本文の背に糊付けする工程を示す正面図であり、（Ａ）〜（Ｄ）は本文の昇降動作及び横移動動作を繰り返すことによってホットメルト接着剤が用紙間に徐々に侵入して行く様子を示す。
【図５】本文を表紙で包む工程を示す斜視図であり、（Ａ）は本文を表紙で包む前、（Ｂ）は包む途中、（Ｃ）は本文に表紙を圧着する作業を各々示す。
【図６】本発明に係る糊付け装置の斜視図である。
【図７】本発明に係る糊付け方法の他の態様を示す正面図であり、（Ａ）〜（Ｄ）は本文の昇降動作を繰り返すことによってホットメルト接着剤が用紙間に徐々に侵入して行く様子を示す。
【発明を実施するための形態】
【００１８】
以下、図面を参照して本発明の実施の形態について説明する。
【００１９】
＜実施の形態１＞
図１に示すように、本発明に係る糊付け方法によって作成される本文１は、印画紙等の比較的厚手の用紙２が複数枚重ね合わされることによって構成される。この用紙２は表面に樹脂コートがなされているものであってもよい。
【００２０】
各用紙２には、あらかじめその片面又は両面に写真画像が表示される。写真画像の表示は、例えば昇華転写印刷、インクジェット印刷等によって行われる。
【００２１】
この本文１の背には、糊であるホットメルト接着剤が塗工膜３として塗布される。この塗工膜３が固化することによって、本文１の全用紙２が無線綴じ状態で綴じられ一体化される。ホットメルト接着剤は、後述する糊付け方法によって糊付けされることから、図１に示すように、本文１の背の端面から用紙２，２間に至るまで侵入している。
【００２２】
図２に示すように、上記本文１は表紙４で包まれることによって冊子であるフォトブックに仕上げられる。
【００２３】
この表紙４の外面及び内面にも、本文１の用紙と同様な写真画像が必要に応じて表示される。
【００２４】
表紙４は表表紙４ａと背４ｂと裏表紙４ｃとが一方向に連なったものとして作成される。そして、表表紙４ａと背４ｂと裏表紙４ｃの各境界線上には、罫線６，６が製本前にあらかじめプレス成形される。
【００２５】
上記本文１の背に対する糊付けは、図３及び図４に示す糊付け方法によって行われる。
【００２６】
（１）まず、図３（Ａ）に示すように、上記用紙２が一冊のフォトブックの本文１を構成する枚数分だけ重ね合わされ、用紙２，２同士がずれないようにクランパ７，７でクランプされる。この状態で全用紙２の背の端面は一平面となって延びる。この場合、用紙２の束の背側がクランパ７，７の先端から突出する長さは、望ましくは１０ｍｍ〜２０ｍｍ程度である。
【００２７】
（２）一方、図３（Ｂ）に示すように、基盤８上にホットメルト接着剤が溶融状態の皮膜９として塗布される。
【００２８】
基盤８には図示しないヒータが埋設され、このヒータの発熱によって基盤８が加熱される。この基盤８上にスティック状のホットメルト接着剤９ａが撫で付けられることによって、ホットメルト接着剤が溶けて皮膜９となって延びる。これにより、接着剤が基盤８上に設けられる。
【００２９】
基盤８は板状のみならず、ベルト状にすることも可能である。また、基盤８の中央部に窪みを形成し、この窪み内にホットメルト接着剤の皮膜９を形成するようにしてもよい。
【００３０】
（３）図４（Ａ）に示すように、上記クランプされた本文１が、その背が基盤８に正対するような姿勢で、基盤８に対し接近離反動作すなわち昇降動作させられる。もちろん、基盤８を本文１の背に対して移動させてもよい。
【００３１】
本文１の背は、本文１が基盤８上に降下した際ホットメルト接着剤の皮膜９に押し付けられ、さらには基盤８の表面にも押し付けられる。
【００３２】
これにより、本文１の背の端面にホットメルト接着剤の塗工膜３が付着する。
【００３３】
（４）図４（Ｂ）に示すように、上記クランプされた本文１が、基盤８に対し基盤８の延び方向に一ピッチ分の距離だけずらされる。もちろん、基盤８側を本文１に対してずらすようにしてもよい。
【００３４】
そして、上記クランプされた本文１が、再びその背が基盤８に正対するような姿勢で、基盤８に対し昇降動作させられる。
【００３５】
本文１の背は、本文１が基盤８上に降下した際ホットメルト接着剤の新しい皮膜９に押し付けられ、さらには基盤８の表面にも押し付けられる。
【００３６】
このように、接着剤が塗布された用紙２の束を基盤８の別な位置へ押し当てると、新たに転写される接着剤により先に用紙２の端面に塗布された接着剤の塗工膜３が用紙２，２間へ押し込まれる。用紙２の束の先端部はクランパ７，７に拘束されないため、用紙２は接着剤の粘度で外側へ押し広げられ、そのため、より円滑に接着剤が用紙２，２間に侵入する。
【００３７】
（５）図４（Ｃ）に示すように、上記クランプされた本文１が、基盤８に対し基盤８の延び方向にさらに一ピッチ分の距離だけずらされる。
【００３８】
そして、上記クランプされた本文１が、再びその背が基盤８に正対するような姿勢で、基盤８に対し昇降動作させられる。本文１の背は本文１が基盤８上に降下した際ホットメルト接着剤の新しい皮膜９に押し付けられ、さらには基盤８の表面にも押し付けられる。
【００３９】
これにより、ホットメルト接着剤が本文１の背の端面から用紙２，２の間に前回よりも深く侵入する。
【００４０】
（６）図４（Ｄ）に示すように、上記クランプされた本文１が、基盤８に対し基盤８の延び方向にさらに一ピッチ分の距離だけずらされる。
【００４１】
そして、上記クランプされた本文１が、再びその背が基盤８に正対するような姿勢で、基盤８に対し昇降動作させられる。本文１の背は本文１が基盤８上に降下した際ホットメルト接着剤の皮膜９に押し付けられ、さらには基盤８の表面にも押し付けられる。
【００４２】
これにより、ホットメルト接着剤が本文１の背の端面から用紙２，２の間に前回よりもさらに深く侵入する。
【００４３】
上記（３）〜（６）の工程数は必要に応じて加減される。
【００４４】
このように、上記本文１を基盤８に対し基盤８の延び方向に相対的にずらしながら昇降動作を反復させることで、ホットメルト接着剤が本文１の背の端面から用紙２，２の間へと深く侵入して行く。
【００４５】
（７）ホットメルト接着剤によって綴じられた本文１がクランパ７，７から除去される。クランパ７，７から解放された本文１が、図５（Ａ）に示すように表紙１上に供給され、本文１の背がホットメルト接着剤の皮膜９を介して表紙４の背４ｂに当てられる。
【００４６】
表紙４の背４ｂにはあらかじめ罫線６，６が形成される。
【００４７】
（８）図５（Ｂ）に示すように、表紙４が罫線６，６上で折り曲げられ、本文１が表紙４によって包まれる。
【００４８】
（９）図５（Ｃ）に示すように、本文１の背が表紙４の背４ｂと重なった状態で熱盤５に当てられ、背４ｂの両側がプレス板１０，１０によって加圧される。熱盤５からの伝熱によって本文１の背におけるホットメルト接着剤の塗工膜３が再び溶かされ、本文１の背が表紙４の背４ｂに強固に接着される。
【００４９】
その後、ホットメルト接着剤の塗工膜３が固化し、表紙４で包まれた本文１がフォトブックとして完成する。
【００５０】
上記糊付け方法を実施するための糊付け装置は、図６に示すように構成される。
【００５１】
なお、この糊付け装置は後述するように表紙付け部も具備するので、全体として製本装置として構成されている。
【００５２】
図６に示すように、糊付け装置は、ホットメルト接着剤が液状の皮膜９となるように塗布される基盤８と、用紙２を積み重ねてクランプしてなる本文１を、その背を基盤８に正対させたうえで基盤８に対し相対的に複数回接近離反動作すなわち昇降動作させる昇降手段とを、図示しない基台上に具備する。
【００５３】
基盤８は水平板で形成される。この水平板は、上記本文１の背の厚さ寸法を数倍した程度の幅と、背の長さよりやや大きい長さとを有する。
【００５４】
基盤８には、図示しないがヒータが付設される。ヒータの熱が基盤８の表面に伝熱することで、基盤８の表面に当てられたスティック状のホットメルト接着剤９ａが溶け、この液状化したホットメルト接着剤が皮膜９となって基盤８の表面上を広がる。
【００５５】
接着剤としてホットメルト接着剤以外の液状糊が使用される場合は、ヒータは省略される。
【００５６】
上記基盤８の片側には、スティック状に固化したホットメルト接着剤９ａの往復移動手段が基盤８の長さ方向に沿って配置される。この往復移動手段は、無端ベルト１１を有し、この無端ベルト１１にスティック状のホットメルト接着剤９ａが連結される。無端ベルト１１は、基盤８の長手方向の側面に沿って伸びるフレーム１２に回転可能に保持された一対のプーリ１３，１３間に張設される。一方のプーリ１３にはモータ１４が動力的に連結され、このモータ１４の回転によってプーリ１３，１３が正逆回転することでスティック状のホットメルト接着剤９ａが基盤８の表面に接しつつ基盤８の長辺方向に移動する。
【００５７】
モータ１４の制御によって無端ベルト１１がスティック状のホットメルト接着剤９ａを牽引し、スティック状のホットメルト接着剤９ａが基盤８上を往動又は往復動する。その結果、スティック状のホットメルト接着剤９ａが基盤８の表面に接触して溶け、液状の皮膜９となって基盤８の表面上を広がる。
【００５８】
基盤８における上記ホットメルト接着剤の往復移動手段が設けられる側と反対側には、クランパ７，７の往復移動手段が設けられる。
【００５９】
クランパ７，７は、上記用紙２を積み重ねてなる本文１を挟む一対の押圧板であり、両押圧板は図示しないネジ等の締結具で連結される。このクランパ７，７によって、図３（Ａ）に示すように、本文１が加圧状態で保持される。
【００６０】
クランパ７，７の往復移動手段は、基盤８の長辺方向に沿って伸びる水平ガイドレール１５を有し、この水平ガイドレール１５にクランパ７，７が水平方向にスライド自在に保持される。クランパ７，７は手動でも往復移動可能であるが、必要に応じて水平ガイドレール１５にはクランパ７，７を往復移動させるための図示しない無端ベルト及びモータ等が設けられる。
【００６１】
クランパ７，７は本文１を保持しつつ手動又はモータ等の駆動によって水平ガイドレール１５上を一方向又は双方向に移動する。クランパ７，７は、本文１の背が基盤８上に塗布されたホットメルト接着剤の皮膜９のやや上方においてこの皮膜９に正対したところで停止する。
【００６２】
上記水平ガイドレール１５は、図示しない基台から起立する垂直ガイドレール１６，１６に昇降自在に保持される。このため、クランパ７，７は水平ガイドレール１５ごと垂直ガイドレール１６，１６に沿って昇降可能である。
【００６３】
上記基盤８は往復移動手段によって、基盤８の短辺方向に沿って往復移動可能である。この往復移動手段は、上記スティック状ホットメルト接着剤９ａの往復移動手段によるスティック状ホットメルト接着剤９ａの移動方向に交差する方向にカム１７及び基盤８を移動させるように配置される。
【００６４】
この往復移動手段は、基盤８の短辺方向の側面に沿って伸びる案内レール１８，１８を有し、この案内レール１８に回転可能に保持された一対のプーリ１９，１９間に張設される無端ベルト２０を有する。この無端ベルト２０にカム１７が連結され、またカム１７を介して基盤８が連結される。一方のプーリ１９にはモータ２１が動力的に連結され、このモータ２１の回転によってプーリ１９，１９が正逆回転することでカム１７が上記水平ガイドレール１５に接しつつ基盤８の短辺方向に移動する。水平ガイドレール１５の下部には、カム１７が接する図示しないカムフォロアが形成される。
【００６５】
カム１７は、本文１を基盤８に対し接近離反動作すなわち昇降動作させる昇降手段として機能するもので、基盤８の短辺方向に複数個直列状に設けられる。カム１７の個数は、図４に示した糊付け方法を採るとすれば四個設けられる。モータ２１の駆動によってカム１７の列が移動すると、カム１７が水平ガイドレール１５のカムフォロアに接する都度、本文１がクランパ７，７及び水平ガイドレール１５ごと基盤８に対し昇降運動を行う。また、これに伴い、基盤８も小刻みに短辺方向に移動する。
【００６６】
水平ガイドレール１５は、基盤８の一方の短辺をその直交方向に越えて長く伸び、この越えた箇所の下方に、表紙付け部が配置される。
【００６７】
なお、表紙付け部は必要に応じて設けられるもので、省略する場合は水平ガイドレール１５は短縮され、クランパ７，７の支持梁として形成される。
【００６８】
表紙付け部は、本文１の背を表紙４の背４ｂと共に受け止める受け部としての熱盤５と、これらの背の両側を加圧する一対のプレス板１０，１０とを具備する。熱盤５には図示しないヒータが埋設される。表紙付け部は全体として昇降動作可能であり、プレス板１０，１０は水平方向に対向状態で往復移動可能である。
【００６９】
上述した糊付け装置においてクランパ７，７で把持された本文１の背に対し糊付けが完了すると、クランパ７，７が本文１ごと水平ガイドレール１５上を表紙付け部へとスライドする。そこで、本文１の背と表紙付け部との間に表紙４が挿入されて位置決めされると、表紙付け部が上昇して本文１及び表紙４の背４ｂをプレス板１０，１０間の隙間内に導入する。これに伴い表紙４が上方に折れ曲がり、続いて、プレス板１０，１０が背の両側をプレスする。また、熱盤５はヒータによって加熱され、この熱によって本文１の背の塗工膜３が再び溶かされ、本文１の背が表紙４の背４ｂに強固に接着される。
【００７０】
なお、表紙付け部を定位置にセットし、クランパ７，７で把持された本文１を表紙付け部に下降させることによって本文１に表紙４を貼り付けるようにしてもよい。
【００７１】
その後、プレス板１０，１０が開いて、表紙４が接着された本文１を解放したうえで、表紙付け部が降下する。
【００７２】
塗工膜３のホットメルト接着剤が固化すると、クランパ７，７から本文１が除去され、完成したフォトブックとされる。
【００７３】
次に、上記構成の糊付け装置の作用について説明する。
【００７４】
モータ２１の駆動によって、基盤８がスティック状ホットメルト接着剤９ａの直下に移動する。基盤８はヒータによってあらかじめ加熱される。
【００７５】
モータ１４の駆動によって、スティック状ホットメルト接着剤９ａが基盤８上を移動する。これにより、スティック状ホットメルト接着剤９ａが溶けて、基盤８上に皮膜９となって広がる。
【００７６】
一方、本文１がクランパ７，７によって挟持され、クランパ７，７ごと水平ガイドレール１５に沿って基盤８上へと移動する。クランパ７，７が基盤８上で停止し、本文１の背が基盤８上のホットメルト接着剤の皮膜９に正対する。
【００７７】
モータ２１の駆動によって、基盤８及びカム１７が移動する。これにより、本文１がクランパ７，７及び水平ガイドレール１５と共に昇降動作すると同時に基盤８が小刻みに移動し、図４（Ａ）〜（Ｄ）に示すように、本文１の背にホットメルト接着剤が繰り返し塗布される。このように、本文１が基盤８に対し反復して押圧されることで、ホットメルト接着剤が本文１の背の端面から用紙２，２の間へと深く侵入して行く。
【００７８】
本文１の背に対する糊付けが完了すると、本文１がクランパ７，７と共に水平ガイドレール１５に沿って表紙付け部へと搬送される。
【００７９】
本文１の背と表紙付け部との間に表紙４が挿入されて表紙４が位置決めされると、表紙付け部の全体が上昇し、これに伴って本文１及び表紙４の背４ｂがプレス板１０，１０間の隙間内に導入され、表紙４が上方に折れ曲がる。
【００８０】
続いて、一対のプレス板１０，１０が接近して本文１と表紙４の背４ｂの両側をプレスする。熱盤５はヒータによって加熱され、この熱によって本文１の背におけるホットメルト接着剤の塗工膜３が再び溶かされ、本文１の背が表紙４の背４ｂに強固に接着される。
【００８１】
その後、プレス板１０，１０が開いて、表紙４が接着された本文１を解放したうえで、表紙付け部が降下する。
【００８２】
そして、塗工膜３のホットメルト接着剤が固化した後、クランパ７，７から本文１が取り外される。かくて、表紙４で包まれた本文１がフォトブックとして完成する。
【００８３】
＜実施の形態２＞
図７（Ａ）〜（Ｄ）に示すように、この実施の形態２では、本文１を基盤８の上方の定位置にセットしたうえで、基盤８に対し複数回接近離反動作すなわち昇降動作させ、この昇降動作を繰り返す都度本文１の背をホットメルト接着剤の皮膜９に押し付ける。
【００８４】
本文１を基盤８上の定位置に押し付けるので、ホットメルト接着剤の皮膜９は実施の形態１におけるよりも厚く形成される。
【００８５】
その他、この実施の形態２において実施の形態１と同じ箇所には同一の符号を用いて示すこととし、重複した説明を省略する。
【００８６】
なお、本発明は上記実施の形態に限定されるものではなく、本発明の要旨の範囲内において種々変更可能である。例えば、実施の形態ではフォトブックの本文の背に糊付けする方法及び装置として説明したが、本発明はフォトブックに限らず絵本、カタログ等の冊子の本文を糊付けする方法及び装置としても成立する。また、接着剤としては、ホットメルト接着剤に限らず、水糊等他の接着剤を用いることも可能である。本文と接着剤との相対的昇降動作も、垂直方向での昇降動作に限らず、必要に応じて傾斜方向、水平方向での接近離反動作とすることができる。
【符号の説明】
【００８７】
１…本文
２…用紙
８…基盤
９…皮膜
１７…カム
【図１】
2011126020.tif 000003
【図２】
2011126020.tif 000004
【図３】
2011126020.tif 000005
【図４】
2011126020.tif 000006
【図５】
2011126020.tif 000007
【図６】
2011126020.tif 000008
【図７】
2011126020.tif 000009